(57)【特許請求の範囲】
【請求項１】
人体に接触させる一対の導子と、両導子が取り付けられている支持体とを備えるとともに、人体の首回りの半周以上の全長を有して弾性による保持で人体の首回りに装着される上記支持体は、その両端間の中間部に一対の導子が人体の頸部に位置する板状筋の間隔に相当する所定間隔で取り付けられており、さらに上記導子は支持体に対して向きが可変となるように取り付けられていることを特徴とする低周波治療器。
【請求項２】
支持体は弾性を有するＣ字形のものとして形成されていることを特徴とする請求項１記載の低周波治療器。
【請求項３】
導子はばね弾性を有する接続部を介して支持体に取り付けられて支持体から突出する方向にばね付勢されていることを特徴とする請求項１または２記載の低周波治療器。
【請求項４】
支持体は導子よりも幅が狭いものであることを特徴とする請求項１〜３のいずれか１項に記載の低周波治療器。
【請求項５】
支持体は表裏に貫通する孔が明けられて人体との接触面積が小さくされたものであることを特徴とする請求項１〜４のいずれか１項に記載の低周波治療器。
【請求項６】
支持体が導子への電力供給用導体を兼ねたものであることを特徴とする請求項１〜５のいずれか１項に記載の低周波治療器。
【請求項７】
支持体の長手方向に導子が小範囲内で可動とされていることを特徴とする請求項１〜６のいずれか１項に記載の低周波治療器。
【発明の詳細な説明】
【０００１】
【発明の属する技術分野】
本発明は人体に低周波電流を流すことで治療を行う低周波治療器に関するものである。
【０００２】
【従来の技術】
低周波治療器は、図１７に示すように、粘着パッドによって人体に貼り付けることができる導子１，１と、これら導子１，１がコード３０を介して接続された制御部３とからなる形態のものが多いが、この他には、実用新案登録第３０３７０３６号に示されたもの、つまり図１８に示すように、長さ調節が自在なＵ字形の支持体３の両端に導子１，１を取り付けて、首筋や脚部への装着の便宜を図ったものがある。
【０００３】
【発明が解決しようとする課題】
ところで、頸部に存在する板状筋に導子を接触させて低周波治療を行えば、肩の凝りや手の疲れに効果的であることが知られている。「新設」及び「百勞」と称される良導点（つぼ）８０，８１が存在している板状筋８は図３に示す位置に存在しているのであるが、ここに上記従来の導子を当接させて低周波治療を行おうとしても、図１７に示すものでは板状筋に導子を貼り付けることが困難であり、また図１８に示したものにおいては、支持体３の両端に位置する一対の導子の間隔を板状筋の間隔に合わせると、支持体２は人体の頸部から離れて浮いてしまうために、板状筋に導子が接触していない状態で使用してしまうことが多く、効果的な治療が望めなかった。
【０００４】
本発明はこのような点に鑑み為されたものであり、その目的とするところは頸部の板状筋に導子を確実に当接させて低周波治療を行うことができる低周波治療器を提供するにある。
【０００５】
【課題を解決するための手段】
しかして本発明は、人体に接触させる一対の導子と、両導子が取り付けられている支持体とを備えるとともに、人体の首回りの半周以上の全長を有して弾性による保持で人体の首回りに装着される上記支持体は、その両端間の中間部に一対の導子が人体の頸部に位置する板状筋の間隔に相当する所定間隔で取り付けられており、さらに上記導子は支持体に対して向きが可変となるように取り付けられていることに特徴を有している。弾性によって人体の首部に装着される支持体を利用して導子を人体の頸部に位置する板状筋に接触させることができるようにしたものであり、また導子を支持体の中間部に且つ向きを可変に取り付けることで、板状筋に導子を密着させた状態で接触させることができるようにしたものである。
【０００６】
この時、支持体は弾性を有するＣ字形のものとして形成しておくことが、支持体の人体への装着の点で好ましい結果を得ることができる。
【０００８】
導子はばね弾性を有する接続部を介して支持体に取り付けて支持体から突出する方向にばね付勢されるようにしておいてもよい。
【０００９】
支持体としては導子よりも幅が狭いものや、表裏に貫通する孔が明けられて人体との接触面積が小さくされたもの、支持体が導子への電力供給用導体を兼ねたものなどを好適に用いることができる。
【００１０】
支持体の長手方向に導子を小範囲内で可動として、一対の導子の間隔を変えられるようにしておいてもよい。
【００１１】
【発明の実施の形態】
本発明の実施の形態の一例について説明すると、図１に示すように、この低周波治療器は、Ｃ字形をなす支持体２と、この支持体２に取り付けられた一対の導子１，１とからなるものとして形成されている。ここにおける支持体２はばね弾性を有する材料で形成されたものであり、一対の導子１，１は所定の間隔Ｌで支持体２の両端間の部分に取り付けられている。
【００１２】
ここにおいて、支持体２によって保たれている一対の導子１，１の間隔Ｌであるが、これは７０±１０ｍｍとしてある。図２に示すように、人体の頸部に位置する板状筋８，８の間隔Ｍが７０±１０ｍｍとなっているためであり、また「新設」及び「百勞」と称される良導点（つぼ）８０，８１がこの付近に位置するからである。なお、首の太さには個人差があるが、どのような人であれ、首の断面形状は図４に示すように長径と短径の比が１．１：１のほぼ楕円形状に近似しており、首の太さが異なろうと、板状筋８，８の間隔はほとんど変わらず、また頸部の板状筋がある部分の曲率半径がほとんど変わらないために、上記間隔Ｌで一対の導子１，１を設けておけば、頸部に装着して導電性粘着パッドを利用して導子１，１を首筋に貼り付けた時、一対の導子１，１は確実に板状筋８，８に接触する。
【００１３】
一方、支持体２は単に一対の導子１，１を上記間隔Ｌに保つだけでなく、その弾性によって体の首部を保持することで、導子１，１の人体への装着を補助する。このために、その長さは図３(a)に示すように首９の半周に至らないものではなく、首の太さが最大の人でも図３(b)に示すように首９の半周を越えるものとしておく。
【００１４】
また、支持体２への導子１への取付構造として、図５に示すように、支持体２に設けた軸２２の回りに導子１，１が回転自在となるようにしておくことで、首の周方向において導子１を沿わせたり、あるいは首の上下方向において導子１を沿わせたりすることができる。なお、軸２２は導子１側に設けてもよいのはもちろんであり、図６に示すように、支持体２に自在継手２３を介して導子１を取り付けるならば、上記２方向だけでなく、２方向を組み合わせた方向についても導子１が可動となるために、さらに導子１と板状筋との接触状態を良好に保つことができる。
【００１５】
図７に示すように、支持体２に対して導子１が突出する方向に導子１が可動となるようにしてもよい。弾性を利用して首の回りに装着した支持体２の内面と、板状筋８との間の間隔が変化しても、板状筋８に粘着パッドで導子１を貼り付けた状態を保つことができ、この場合、支持体２と導子１との間に導子１が突出する方向に付勢するばねを介在させるようにしてもよい。
【００１６】
図８に示すように、支持体１に可撓性を有する接続部２４を介して導子１を取り付けても、接続部２４の撓みによって導子１を首に沿わせた状態を保つことができる。この接続部２４は、支持体２や導子１と別体のものであっても、支持体２あるいは導子１と一体のものであってもよい。更には接続部２４の半分を支持体２と一体に、他の半分を導子１と一体に設けたものであってもよい。
【００１７】
さらに、接続部２４として、単に可撓性を有するだけのものではなく、ばね弾性も発揮するものを用いると、導子１が接続部２４によるばね力で板状筋に９８０ｍＮ程度の接触圧で接触する状態を支持体２によって保つことができる。粘着パッドには通常９８０ｍＮ程度の接触圧を得られるものが使用されるが、この接触圧を得ることができる粘着性を有する粘着パッドを用いた場合、首筋に使用すると、毛髪が付着した時に剥がしにくくなるが、図９に示すように支持体２をその弾性で首部に装着した状態では、上記接触圧をばね弾性を有する接続部２４で得ることができ、従って導電性粘着パッドとして粘着力が２９４ｍＮ程度の弱いものを用いても、接触圧不足による問題を招くことがないようにすることができる。
【００１８】
さらに接続部２４を導電性材で形成すれば、図１０に示すように支持体２内に配した導体２５から導子１への電気的接続を接続部２４で行うことができ、別途リード線で接続するという手間をかけなくてもすむものとなる。
【００１９】
図１１に示すように、導子１そのものを柔軟な可撓性を有するもので形成したり、図１２に示すように、導子１の内面の曲率半径Ｒを首の板状筋８付近の曲率半径Ｒに一致させることによって、導子１と板状筋８との密着性を向上させることができる。
【００２０】
支持体２としては、前述のようにばね弾性を有するものを用いるが、更には図１３に示すように導子１の幅イよりも細い幅ロのものとすると、導子１として肌との接触面積が大きいものを用いた場合にも、支持体２が首を固定してしまうことがなくて首を動かす自由を確保することができ、支持体２があることによる違和感をなくすことができる。
【００２１】
また図１４に示すように支持体２にほぼ全長にわたる長孔２６を設けたり、多数の小さな孔２７を設けたりすれば、支持体２と肌との接触面積を減らして違和感を低減することができる上に通気性を確保することができるために汗蒸れが生じることを防ぐことができる。
【００２２】
図１５（ａ）は、導体の外周に絶縁被覆を施したものを支持体２として用いたものを、図１８（ｂ）は導体２５を絶縁材からなる支持体２内に埋め込んだものを示している。いずれの場合も導子１への電力供給を支持体２によって行うことができて、配線の簡略化を図ることができる。
【００２３】
支持体２への導子１の取り付け位置は固定とするのではなく、図１６に示すよに、一対の導子１，１間の間隔Ｌが７０±１０ｍｍの範囲内で調節することができるようにしておいてもよい。つまり、一方の導子１を支持体２の長手方向に２０ｍｍの範囲でスライド自在となるようにしておいたり、両導子１，１を夫々支持体２の長手方向に１０ｍｍの範囲でスライド自在となるようにしておくのである。このようにしておくことで、板状筋８，８に導子１，１を接触させることを、板状筋８，８の間隔の個人差にかかわらず行うことができるものとなる。
【００２４】
【発明の効果】
以上のように本発明においては、人体に接触させる一対の導子と、両導子が取り付けられている支持体とを備えるとともに、人体の首回りの半周以上の全長を有して弾性による保持で人体の首回りに装着される上記支持体は、その両端間の中間部に一対の導子が人体の頸部に位置する板状筋の間隔に相当する所定間隔で取り付けられているために、弾性によって人体の首部に装着される支持体を利用して導子を人体の頸部に位置する板状筋に接触させることができるものであり、また導子を支持体の両端にではなく、中間部に取り付けているために、支持体の弾性を利用して人体に装着するものでありながら、板状筋に導子を接触させることができるようにしたものである。加えるに導子が支持体に対して向きが可変となるように取り付けているために、導子と人体との密着性を向上させることができる。
【００２５】
この時、支持体は弾性を有するＣ字形のものとして形成したり、支持体の全長を人体の首回りの半周以上の長さとしておくことが、支持体の人体への装着の点で好ましい結果を得ることができる。
【００２６】
更にはばね弾性を有する接続部を介して支持体に取り付けて支持体から突出する方向に導子がばね付勢されるようにしておくと、導電性粘着パッドの粘着力が弱くても所定の接触圧を得ることができる。
【００２７】
導子はばね弾性を有する接続部を介して支持体に取り付けて支持体から突出する方向にばね付勢されるようにしておいてもよい。導電性粘着パッドの粘着力が弱くても所定の接触圧を得ることができる。
【００２８】
支持体としては導子よりも幅が狭いものが、首への装着時における支持体による違和感を軽減することができるとともに首を動かすことについての自由度が高くなって、治療疲れが生じにくくなる点で好ましい。
【００２９】
また、支持体に表裏に貫通する孔を設けて人体との接触面積を小さくしておけば、通気性が確保されるために装着時に蒸れが生じない上に、孔の存在によって支持体の柔軟性が高くなるために、装着感がさらに良好となる。
【００３０】
支持体の長手方向に導子を小範囲内で可動として、一対の導子の間隔を変えらられるようにしておけば、板状筋の位置の個人差を吸収することができる。
【図面の簡単な説明】
【図１】本発明の実施の形態の一例を示すもので、（ａ）は平面図、（ｂ）は使用状態を示す背面図である。
【図２】頸部に位置する板状筋の説明図である。
【図３】（ａ）（ｂ）は夫々平面図である。
【図４】頸部の断面形状の説明図である。
【図５】支持体への導子の装着部分の構造の一例を示すもので、（ａ）は平面図、（ｂ）は側面図である。
【図６】支持体への導子の装着部分の構造の他例を示す断面図である。
【図７】支持体への導子の装着部分の構造のさらに他例を示すもので、（ａ）は断面図、（ｂ）は平面図である。
【図８】支持体への導子の装着部分の構造の別の例を示す平面図である。
【図９】支持体への導子の装着部分が異なる例における平面図である。
【図１０】支持体への導子の装着部分における電気的接続構造を示す平面図である。
【図１１】導子の他例を示すもので、（ａ）は平面図、（ｂ）は導子の斜視図である。
【図１２】導子の更に他例を示すもので、（ａ）は平面図、（ｂ）は導子の斜視図である。
【図１３】支持体の他例を示す斜視図である。
【図１４】（ａ）（ｂ）は夫々支持体の更に他例を示す斜視図である。
【図１５】（ａ）（ｂ）は夫々支持体の別の例の示す斜視図である。
【図１６】他例の平面図である。
【図１７】従来例の使用状態を示す背面図である。
【図１８】他の従来例を示すもので、（ａ）は正面図、（ｂ）（ｃ）は使用状態を示す説明図である。
【符号の説明】
１  導子
２  支持体
【図１】
0003551102.tif 000002
【図２】
0003551102.tif 000003
【図３】
0003551102.tif 000004
【図４】
0003551102.tif 000005
【図５】
0003551102.tif 000006
【図６】
0003551102.tif 000007
【図７】
0003551102.tif 000008
【図８】
0003551102.tif 000009
【図９】
0003551102.tif 000010
【図１０】
0003551102.tif 000011
【図１１】
0003551102.tif 000012
【図１２】
0003551102.tif 000013
【図１３】
0003551102.tif 000014
【図１４】
0003551102.tif 000015
【図１５】
0003551102.tif 000016
【図１６】
0003551102.tif 000017
【図１７】
0003551102.tif 000018
【図１８】
0003551102.tif 000019